(57)【要約】本発明は、従来の口蓋部、鼻中隔、及び鼻腔を左右方向に広げる矯正装置とは異なり、臼歯と前歯を前後方向に移動させることによって上顎臼歯及び前歯を矯正することができる、上顎歯列矯正装置に関する。具体的には、上顎の歯茎の底面に取り付けられるボディー１０と；一端が前記ボディー１０から連結されて延びる連結脚２０と；前記連結脚２０の他端に連結され、臼歯に嵌められる臼歯固定部３０と；前記ボディー１０の下面一側に連結される環部４０と；を含み、前記ボディー１０は、第１ボディー１１と第２ボディー１２とに区分され、前記第１ボディー１１と第２ボディー１２とが上顎の前歯方向及び気道方向に離隔するか、または近接することによって間隔が調整される、上顎歯列矯正装置に関する。
2020501837.tif 000002
【特許請求の範囲】
【請求項１】
上顎の歯茎の底面に取り付けられるボディー（１０）と、
一端が前記ボディー（１０）から連結されて延びる連結脚（２０）と、
前記連結脚（２０）の他端に連結され、臼歯に嵌められる臼歯固定部（３０）と、
前記ボディー（１０）の下面一側に連結される環部（４０）とを含み、
前記ボディー（１０）は、
第１ボディー（１１）と第２ボディー（１２）とに区分され、前記第１ボディー（１１）と第２ボディー（１２）とが上顎の前歯方向及び気道方向に離隔するか、または近接することによって、間隔が調整され、
前記環部（４０）は、
一側が開放された環状に構成されることにより、ボディー（１０）の交換時に歯茎に挿入されたねじを除去しなくて済むようにし、
前記ボディー（１０）の一側のうち、上顎の前歯方向及び気道方向のいずれか一方向にのみ選択的に形成されることを特徴とする、上顎歯列矯正装置。
【請求項２】
前記ボディー（１０）は、
前記第１ボディー（１１）及び第２ボディー（１２）と、
前記第１ボディー（１１）及び第２ボディー（１２）の一側において一方向から他方向に貫通する移動溝（１３）と、
前記第１ボディー（１１）及び第２ボディー（１２）の他の一側において一方向から他方向に貫通する支持溝（１４）と、
前記移動溝（１３）に挿入される移動軸（１５）と、
前記支持溝に挿入される支持軸（１６）とを含むことを特徴とする、請求項１に記載の上顎歯列矯正装置。
【請求項３】
前記移動溝（１３）は、その内面にねじ部（１３ａ）が形成され、
前記移動軸（１５）は、
移動軸（１５）の一側に構成されて前記移動軸（１５）を回転させ、その外面に複数個の溝が形成された回転部（１５ａ）と、
移動軸（１５）の外面に形成され、前記ねじ部（１３ａ）とねじ締結されるねじ部（１５ｂ）とを含むことによって、
前記回転部（１５ａ）が回転するにつれて前記第１ボディー（１１）と第２ボディー（１２）との間隔が調整され、移動軸（１５）の端部に形成された移動軸緩み防止部（１５ｃ）をさらに含むことを特徴とする、請求項２に記載の上顎歯列矯正装置。
【発明の詳細な説明】
【技術分野】
【０００１】
本発明は、従来の口蓋部、鼻中隔、及び鼻腔を左右方向に広げる矯正装置とは異なり、臼歯と前歯を前後方向に移動させることによって上顎臼歯及び前歯を矯正することができる、上顎歯列矯正装置に関する。
【０００２】
具体的には、上顎の歯茎の底面に取り付けられるボディー１０と；一端が前記ボディー１０から連結されて延びる連結脚２０と；前記連結脚２０の他端に連結され、臼歯に嵌められる臼歯固定部３０と；前記ボディー１０の下面一側に連結される環部４０と；を含み、前記ボディー１０は、第１ボディー１１と第２ボディー１２とに区分され、前記第１ボディー１１と第２ボディー１２とが上顎の前歯方向及び気道方向に離隔するか、または近接することによって間隔が調整される、上顎歯列矯正装置に関する。
【背景技術】
【０００３】
一般に、下顎が突出した受け口において相対的に小さくて狭い上顎の左右両側への拡張、歯牙の矯正及び再配列のために、矯正装置を口腔内に取り付けるようにしている。
【０００４】
このような一般的に従来に主に使用される矯正装置は、２つの対向するベース（ボディー）が操作によって互いの間隔が広がるようにしており、前歯を前方とし、それを基準として頬側の両側方向に広がるようにすることによって、上顎口蓋部、鼻中隔、及び鼻腔を広げて受け口を矯正するか、または歯列を矯正するようにしている。
【０００５】
しかし、前記のような方法は、歯列弓の狭小な患者において隙間を作るか、または隙間の多い患者において隙間を閉じる歯牙の移動を行うことができず、出っ歯、受け口などにおいて全歯列を前歯方向又は気道方向に動かして空間を作ることができない。これにより、矯正時に空間を確保するために抜歯（歯を抜くこと）矯正を施行する場合が多く、これは、痛みを伴ったり、歯牙の移動期間を多く延ばすため、不便さと非効率性という限界があるしかない。
【０００６】
これに関連する技術として、韓国登録特許公報第１０−０４７９９６７号には歯列矯正部材（先行技術１）が記載されている。
【０００７】
前記先行技術１は、‘舌側矯正時に抜歯空間を閉じる際、過度の倒れを防止し、矯正される歯牙の形状に応じて力を加えられるように予め作製されたフックを設置して、施術者の所望の歯牙移動が得られるので、抜歯空間及び歯牙を効果的に矯正治療することができる歯列矯正部材’に関する。
【０００８】
他の技術として、韓国登録特許公報第１０−１２０５６３２号には、出っ歯の唇、舌側矯正装置（先行技術２）が記載されている。
【０００９】
前記先行技術２は、‘歯槽骨突出において歯の頭だけでなく歯の根も後方に安全に移動できる矯正装置を開発して、手術を伴わなくても良い顔貌及び健康な歯列を得ようとする目的’を記載している。
【００１０】
しかし、前記先行技術１及び先行技術２は、本出願人が提案しようとする矯正装置と動作関係及びこれによる効果が一部異なるといえる。
【００１１】
ただし、本出願人が提案しようとする発明と一部関連のある技術として、登録特許公報第１０−１１１１９７６号には上顎歯列弓の幅矯正装置（先行技術３）が記載されている。
【００１２】
前記先行技術３は、‘上顎歯列弓の幅矯正のための矯正力を発生させる幅矯正ボディーユニットと；前記幅矯正ボディーユニットに備えられ、前記上顎歯列弓が両側に拡張されるように、前記幅矯正ボディーユニットによって左右両側方向に広がりながら上顎骨に拡張力を加えるプッシングユニット（Ｐｕｓｈｉｎｇ  Ｕｎｉｔ）とを含んで構成される上顎歯列弓の幅矯正装置’に関する。
【００１３】
更に他の技術として、韓国登録特許公報第１０−１４６６１５８号には上顎臼歯部の３次元的な歯牙移動構造物（先行技術４）が記載されている。
【００１４】
前記先行技術４は、‘左右一対の分割体が上顎骨を中心として両側の口蓋面に位置して両側の上顎歯列弓を幅矯正するようになる口蓋面拡張部と；左右一対からなり、それぞれ一端が前記口蓋面拡張部に固定されるサポートワイヤと；それぞれ一端が前記分割体にそれぞれ固定され、他端が、両側の歯列弓に沿って位置しかつ前記サポートワイヤの他端に固定される左右一対のワイヤレールと；両側の歯列弓の中、それぞれいずれか一つの臼歯を取り囲んで固定されるバンドと；折り曲げられた一端が前記バンドの一側に固定される連結ワイヤ、及び前記連結ワイヤーの他端に前記レールを取り囲んでスライド移動可能に結合されたスライディングチューブからなる臼歯牽引ユニットと；両端が、前記ワイヤレールの端部に形成された環、及び前記臼歯牽引ユニットの連結ワイヤの一側に折り曲げ形成された環溝にそれぞれ係止されて弾性復元力で引張力を提供する弾性ゴムとを含む’ことを記載している。
【００１５】
しかし、前記の先行技術３及び先行技術４もまた、いずれも側方向に矯正を行うように構成している。したがって、前記の問題点及び矯正治療の限界が依然として存在する。
【００１６】
これによって、本出願人は、従来に側方向に動いていた矯正装置を、前方向及び後方向に動かせるように調整できるようにすることで、従来の抜歯と痛みを伴い、治療期間が長くなるという問題を多少克服し、併せて、突出口の矯正以外にも、陥没した歯列において人為的に歯牙を突出させる矯正も行えることを期待することができる本発明を着目するに至った。
【発明の概要】
【発明が解決しようとする課題】
【００１７】
本発明の目的は、従来の口蓋部、鼻腔、及び鼻中隔を左右方向に広げる矯正装置とは異なり、臼歯と前歯を前歯方向及び気道方向に確固に移動させる方式で上顎の全歯列を矯正できるようにすることによって、痛みと治療期間を減らし、効率的な矯正を行うことができる、上顎歯列矯正装置を提供することにある。
【課題を解決するための手段】
【００１８】
上記のような目的を達成するための本発明に係る上顎歯列矯正装置は、上顎の歯茎の底面に取り付けられるボディー１０と；一端が前記ボディー１０から連結されて延びる連結脚２０と；前記連結脚２０の他端に連結され、臼歯に嵌められる臼歯固定部３０と；前記ボディー１０の下面一側に連結される環部４０と；を含み、前記ボディー１０は、第１ボディー１１と第２ボディー１２とに区分され、前記第１ボディー１１と第２ボディー１２とが上顎の前歯方向及び気道方向に離隔するか、または近接することによって間隔が調整される。
【００１９】
このとき、前記ボディー１０は、前記第１ボディー１１及び第２ボディー１２と、前記第１ボディー１１及び第２ボディー１２の一側において一方向から他方向に貫通する移動溝１３と；前記第１ボディー１１及び第２ボディー１２の他の一側において一方向から他方向に貫通する支持溝１４と；前記移動溝１３に挿入される移動軸１５と；前記支持溝に挿入される支持軸１６と；を含む。
【００２０】
また、前記移動溝１３は、その内面にねじ部１３ａが形成され、前記移動軸１５は、移動軸１５の一側に構成されて前記移動軸１５を回転させ、その外面に複数個の溝が形成された回転部１５ａと、移動軸１５の外面に形成され、前記ねじ部１３ａとねじ締結されるねじ部１５ｂとを含むことによって、前記回転部１５ａが回転するにつれて前記第１ボディー１１と第２ボディー１２との間隔が調整される。
【００２１】
また、前記環部４０は、前記ボディー１０の一側のうち、上顎の前歯方向及び気道方向のいずれか一方向にのみ選択的に形成される。
【発明の効果】
【００２２】
本発明に係る上顎歯列矯正装置によれば、口蓋部、鼻腔、及び鼻中隔を左右方向に広げる従来の矯正装置とは異なり、臼歯と前歯を前歯方向及び気道方向に確固に移動させる方式で上顎の全歯列を矯正できるようにすることによって、歯列を配列する際に空間の確保のために行う抜歯矯正を避けることができ、隙間が多い患者において隙間を所望の位置に確固かつ選択的に閉鎖することによって、使用者の痛みと治療期間を減らし、効率的な矯正を行うことができる利点がある。
【図面の簡単な説明】
【００２３】
【図１】本発明に係る上顎歯列矯正装置の着用状態及び構成を示す図である。
【図２】本発明に係る上顎歯列矯正装置においてボディーの構成を示す図である。
【図３】本発明の他の一例に係る上顎歯列矯正装置の構成を示す図である。
【発明を実施するための形態】
【００２４】
本明細書及び特許請求の範囲に使用された用語や単語は、通常の又は辞書的な意味に限定して解釈されてはならず、発明者が自分の発明を最良の方法で説明するために用語の概念を適宜定義できるという原則に基づき、本発明の技術的思想に符合する意味及び概念として解釈されなければならない。
【００２５】
したがって、本明細書に記載された実施例と図面に示す構成は、本発明の最も好ましい一実施例に過ぎず、本発明の技術的思想をすべて代弁するものではないので、本出願が行われた時点においてこれらを代替できる様々な均等物と変形例があり得るということが理解されるべきである。
【００２６】
以下、図面を参照して説明するに先立って、本発明の要旨を示すために必要ではない事項、即ち通常の知識を有する当業者が自明に付加できる公知の構成については、図示又は具体的に記述していないことを明らかにする。
【００２７】
本発明は、従来の口蓋部、鼻腔、及び鼻中隔を左右方向に広げる矯正装置とは異なり、臼歯と前歯を前後方向に移動させることによって上顎臼歯と前歯を矯正することができる、上顎歯列矯正装置に関する。
【００２８】
具体的には、添付の図面を参照して説明する。
【００２９】
図１は、本発明に係る上顎歯列矯正装置の着用状態及び構成を示した図であって、上顎の下部方向から上顎を見たことを示しており、本発明に係る上顎歯列矯正装置は、ボディー１０、連結脚２０、臼歯固定部３０、及び環部４０を含む。
【００３０】
具体的には、上顎の歯茎の底面に取り付けられるボディー１０と、一端が前記ボディー１０から連結されて延びる連結脚２０と、前記連結脚２０の他端に連結され、臼歯（奥歯）に嵌められる臼歯固定部３０と、前記ボディー１０の一側に構成される環部４０とを含む。
【００３１】
このとき、前記の連結は、溶接による連結を意味することができる。すなわち、最初に製品として発売される場合、ボディー１０、連結脚２０、臼歯固定部３０及び環部４０が選択的に別個の製品として製造され得る。
【００３２】
具体的な構成を説明するに先立って、本発明に係る上顎歯列矯正装置の動作関係を添付図面の図１を通じて説明すると、次の通りである。
【００３３】
使用者の歯牙の形状に合わせて連結脚２０及び臼歯固定部３０を形成した後、連結脚２０の形態を変更してボディー１０を上顎口蓋部（口蓋）の底面に取り付ける。
【００３４】
その後、固定源であるねじを環部４０の内側に植立してボディー１０を固定する。
【００３５】
このとき、臼歯固定部３０は、一部が臼歯（奥歯）に嵌められ、残りの一部が他の歯牙に嵌められるようにする。
【００３６】
そして、ボディー１０の離隔距離を調整することによって、臼歯（奥歯）がボディー１０の移動方向に沿って力を受けるようにして、上顎臼歯を後方の気道方向に移動させて矯正するようにする。
【００３７】
このとき、添付図面の図１によれば、環部４０が前歯方向に形成され、ねじで固定されるため、ボディー１０は、前歯方向の反対側である気道部分に移動するようになり、その後、前歯が後方に移動できる空間が確保され、突出した上顎歯列の全体が後方に移動して矯正されるようにすることができる効果を有する。
【００３８】
反面、環部４０は、図１とは異なり、ボディー１０の一側のうち、気道方向に構成されてもよい。この場合、ボディー１０が気道方向に固定されるため、前歯方向に移動するはずであり、これにより、上顎歯牙の前方移動矯正または上顎を前方に突出させる矯正を行うことができる。
【００３９】
ボディー１０は、添付図面の図２を参照することができる。
【００４０】
図２は、本発明に係る上顎歯列矯正装置においてボディーの構成を示した図である。
【００４１】
これによるボディー１０は、第１ボディー１１と第２ボディー１２とに分けられる。このようなボディー１０、即ち第１ボディー１１及び第２ボディー１２のそれぞれには、一方向から他方向に貫通する２つ以上の溝が形成され、移動軸１５及び支持軸１６が前記２つ以上の溝に挿入されることによって、第１ボディー１１と第２ボディー１２とを連結する。
【００４２】
すなわち、２つ以上の溝のうち一つは移動溝１３であって、移動軸１５が挿入されるように構成され、このような移動溝１３の内面にはねじ部１３ａが形成される。
【００４３】
そして、移動軸１５の外面にもねじ部１５ｂが形成され、これによって、第１ボディー１１と第２ボディー１２とは、移動軸１５が１回転するにつれて互いに一定の間隔ずつ（０．２５ｍｍ）離隔して離れるか、または装置のボディーが離隔した状態で設置し、移動軸と移動溝を反対方向に回転時にボディー同士の間は近接するようにすることができる。
【００４４】
このような移動軸１５の一側には回転部１５ａが形成され、前記回転部１５ａは、前記移動軸１５を軸として回動するように構成され、これは、回転部１５ａの外面に沿って一定間隔で形成される複数個の溝が形成される。
【００４５】
このとき、前記溝は、好ましくは４個で構成され得る。そして、使用者が前記溝に所定の棒を嵌合して前記回転部１５ａを回動させることによって移動軸１５が回転して、第１ボディー１１と第２ボディー１２が一定間隔ずつ動くようにする。
【００４６】
したがって、４個の溝を通じて回転部１５ａを回動させる場合、第１ボディー１１と第２ボディー１２とは、そのねじの直径及びねじ山の間隔、個数に応じて１回転当たり様々な距離だけ離隔または近接して、総１０ｍｍ（１ｃｍ）前後の様々な距離だけ離隔または近接するようになる。
【００４７】
また、前記２つ以上の溝のうち残りの１つ以上は支持溝１４であって、支持軸１６が挿入されるように構成される。このような支持軸１６は、第１ボディー１１と第２ボディー１２とが離隔または近接するために動くとき、移動軸の方向に動きが容易なように支持する機能を果たす。
【００４８】
このとき、第１ボディー１１及び第２ボディー１２は、添付図面の図１のように前歯方向、及びその反対側である気道方向に動くことができる。
【００４９】
特に、移動軸の回転運動によってボディー部が離隔または近接する際、移動軸がボディー部から離脱することを防止するために移動軸の両端部に形成された移動軸緩み防止部１５ｃにはねじ山を形成しない構造であって、移動軸が過度に離隔する場合、端部では、ねじ山のない移動軸の部位で空回りする現象により離脱を防止するために、移動軸の端部がさらに広い形態または移動軸内にピン構造が挿入される離脱防止構造を備えた。
【００５０】
連結脚２０は、ボディー１０の一側に構成されるものであって、好ましくは、第１ボディー１１及び第２ボディー１２のそれぞれに所定の個数ずつ構成され得る。
【００５１】
このような連結脚２０の一端には臼歯固定部３０が連結されるが、より好ましくは、連結脚２０は、臼歯固定部３０を介して臼歯（奥歯）に嵌めるための２個と、力を分散させるために他の歯牙に嵌めることができるように様々な個数をさらに含むように構成され得る。
【００５２】
このような連結脚２０は、人体に無害である上に、人力で形態を変更できる材質（例えば、ステンレス、アルミニウムなど）で構成され得る。
【００５３】
添付図面の図２によれば、環部４０は、ボディー１０の内側や下側下面側のボディー近接部の可能な限り支持軸と近接した部位に連結されるように構成される。
【００５４】
このような構造の必要性は、移動するボディー部の反対側に固定されるボディー部に設置される環部は、内部に支持度を高めるねじを植立する構造であって、移動するボディー部の反作用による力を確実に相殺するために、回転モーメントが大きく発生しないボディー近接部に設置する。
【００５５】
また、ボディーの中心部に設置された移動軸の延長線上で最も近接するように設置し、これにより、口蓋部の最も強い骨が存在する正中線に位置する移動軸の延長線上で最も確固たる支持力を保障することができる。
【００５６】
このように環部は、１８０°以上が閉鎖された円形状に設定することによって、移動ボディー部の反作用による垂直、水平離脱力に効率的に抵抗できる形態を有する。
【００５７】
また、環部４０が、一側が開放された環状に構成されることにより、ボディー１０を交換しなければならない場合でも、歯茎に挿入されたねじを除去しなくても交換が可能であるという利点がある。
【００５８】
ただし、従来の矯正装置は、ボディーが両頬側の臼歯（奥歯）方向に動くものであり、ねじが両方向に挿入されてボディーを固定するため、上顎構造が本来の形態を維持しようとする力に大きく影響を受けない反面、本発明の場合には、ボディー１０の円滑な移動のために、ねじが挿入されて固定される環部４０が前歯方向または気道方向のいずれか一方向にのみ設置され、また、移動するボディー１０が複数の歯牙を動かしている間、前歯方向と気道方向に反作用の力を受けて生じる上顎構造の抵抗によって、矯正のために移動軸１５を介して第１ボディー１１と第２ボディー１２との間隔を離隔させても再び狭くなったり、狭めておいても再び離隔する場合が発生し得る。
【００５９】
これによって、本出願人は、本発明の他の実施例として、次のような構造をさらに提案する。これは、添付図面の図３を参照する。
【００６０】
図３は、本発明の他の一例に係る上顎歯列矯正装置の構成を示した図である。
【００６１】
添付図面の図３による本発明は、一方のボディーの一側に備えられた固定ピン１８を介して連結される固定バー１７と、他方のボディーの一側に備えられた固定部材１９とをさらに含むことができる。
【００６２】
このとき、固定バー１７の固定ピン１８が挿入される孔（ｈｏｌｅ、図面符号図示せず）は、固定ピン１８のヘッド（Ｈｅａｄ）より大きさが小さくなるように構成され、固定バー１７は、固定ピン１８を軸として回転可能であり、固定ピン１８に沿って上／下の動きが可能なように構成する。
【００６３】
このような固定バー１７の一端には、凹と凸が連続する“∧∧∧∧”の形態の凹凸構成が対向するように構成された凹凸部１７ａが溝の形態で構成される。
【００６４】
そして、固定部材１９のヘッド（Ｈｅａｄ）は、前記凹凸部１７ａの構成に対応するように構成され、このヘッドの下部方向に柱が形成されるようにする。
【００６５】
前記固定部材１９の柱は、ボディーの一側に設けられた固定溝１９ｂに嵌められるが、前記柱の外面にトーションスプリングが固定挿入されて前記固定溝１９ｂに嵌められるようにする。したがって、固定部材１９は、固定溝１９ｂにおいて人力によって回転された後、人力が除去されると、再び元の状態に回転されるようにする。また、トーションスプリングの構成が存在しないことによって、人力による回転のみが可能なように構成することもできる。
【００６６】
全体として、固定バー１７の凹凸部１７ａに固定部材１９のヘッドが前記凹凸部１７ａと同じ方向になるように嵌め込んだ状態で、固定部材１９のヘッドが凹凸部１７ａと垂直な方向になるようにすることによって、固定バー１７が固定部材１９に固定連結されるようにする。このときの凹凸部１７ａの構成が凹と凸が連続することによって、様々な長さに合わせて固定することができる。
【００６７】
また、他の実施例として、凹凸部１７ａの凹部の間隔が２．５ｍｍとなるようにすることができる。
【００６８】
このような構成は、添付図面の図３では、一側に単一個のみ構成されるようにしているが、設計条件によっては、複数個が両側に構成されてもよく、中間部分に単一個のみ構成されてもよい。
【００６９】
これによって、前記固定バー１７と固定部材１９がボディー１０に伝達される上顎の力を分散して受けるため、ボディー１０の調整された間隔が変更される恐れを完全に防止できると期待される。
【００７０】
前記で図１乃至図３を用いて記述したものは、本発明の主要事項のみを記述したもので、その技術的範囲内で様々な設計が可能である。したがって、本発明が図１乃至図３の構成に限定されるものではないことは自明である。
【図１】
2020501837.tif 000003
【図２】
2020501837.tif 000004
【図３】
2020501837.tif 000005
【国際調査報告】
2020501837.tif 000006
2020501837.tif 000007
2020501837.tif 000008
2020501837.tif 000009